(57)【要約】【課題】  従来の装置には、全身を効果的に引き伸ばしたり、全身の血流を満遍なく促進することができないという課題がある。【解決手段】  本発明の身体伸長矯正装置は、使用者を仰臥させる台と、台を傾斜させる傾斜機構と、台を水平或は傾斜の状態で回転させる回転機構を備え、前記台には、使用者を台に固定する固定部と、台に仰臥した使用者の足首、脛上部、腿下部、腿上部、脇及び肩、顎及び頭を保持する各保持具と、前記各保持具を牽引することにより、脛、腿、胴、首を伸長させる各牽引具を備えるものである。また、傾斜機構、回転機構の動作は操作盤で制御可能であり、回転機構は、台の裏側中央部に設けられ、台が傾斜した状態で回転すると、その回転に伴って台の上に仰臥して使用者の頭側と脚側が半周ずつ自動的に上下に変わりながら回転するようにした。【選択図】図１
2007300969.tif 000002
【特許請求の範囲】
【請求項１】
次の１〜４の構成を備えることを特徴とする身体伸長矯正装置。
１．使用者を仰臥させる台と、台を傾斜させる傾斜機構と、台を水平或は傾斜の状態で正・逆回転させる回転機構とを備え、
２．前記台は次の（１）〜（１４）の構成を備え、
（１）台の上に仰臥した使用者の胴体の両側に宛がって胴体を位置決めする脇宛て具と、
（２）当該使用者の胴体を前記台に固定する胴固定ベルトと、
（３）使用者の足首を保持する足首保持具と、
（４）その足首保持具を足先側へ牽引して脛を足先側へ伸長させる足首牽引具と、
（５）使用者の脛上部を保持する脛上部保持具と、
（６）その脛上部保持具を膝側へ牽引して脛を膝側へ伸長させる脛上部牽引具と、
（７）使用者の腿下部を保持する腿下部保持具と、
（８）その腿下部保持具を膝側へ牽引して腿を膝側へ伸長させる腿下部牽引具と、
（９）使用者の腿上部を保持する腿上部保持具と、
（１０）その腿上部保持具を牽引して腿を胴側へ伸長させる腿上部牽引具と、
（１１）使用者の脇及び肩を保持する脇・肩保持具と、
（１２）その脇・肩保持具を頭部側へ牽引して胴を頭部側へ伸長させる脇・肩牽引具と、
（１３）使用者の顎の下に掛けて顎及び頭を保持する顎・頭保持具と、
（１４）その顎・頭保持具を頭頂側へ牽引して首を頭頂側へ伸長させる顎・頭牽引具、
３．前記傾斜機構、回転機構の動作は操作盤で制御可能であり、
４．前記回転機構は、台の裏側中央部に設けられ、台の上面に仰臥する使用者の同中央部下の位置に設けられて、台が傾斜した状態で回転すると、その回転に伴って台の上に仰臥して使用者の頭側と脚側が半周ずつ自動的に上下に変わりながら回転するようにした。
【発明の詳細な説明】
【技術分野】
【０００１】
本発明は、全身の骨を伸長させることによって安全且つ後戻りすることなく身長を伸ばし、さらに身体の捩れや歪みを矯正して身体のバランスを整え、身体の血流を良くして健康の維持、増進に役立てることができる身体伸長矯正装置に関する。
【背景技術】
【０００２】
従来、身長を伸ばしたり、身体の捩れや歪みを矯正したりする装置としては、エアバッグの上に仰臥した使用者の足側を、エアバッグを膨張させて上方に持ち上げて、使用者の頭側を必ず下にし、足側の支柱を中心に回転させるものや（特許文献１参照。）、足首及び上半身を固定し、足首を長手方向に前後動させるものや（特許文献２参照。）、顎と足首を保持して夫々を反対方向へ牽引するもの（特許文献３参照。）等がある。
【０００３】
【特許文献１】特開２００３−１９０１９９号公報
【特許文献２】特開２００３−１４４５７８号公報
【特許文献３】特開平１０−１３７２７８号公報
【発明の開示】
【発明が解決しようとする課題】
【０００４】
しかし、従来の特許文献１〜３記載の装置には、次のような課題がある。
（１）特許文献１記載の装置は、使用者の足側を上方に持ち上げ、使用者の頭側を必ず下向きにし、更に使用者の足側の支柱を中心にエアバッグが旋回するため、回転による遠心力が使用者の頭部側のみに集中してしまい、全身を効果的に伸長させるとか、血流を全身に満遍なく送ることができないという課題がある。
（２）特許文献２や特許文献３記載の装置は、使用者の足や顎のみを牽引するため、全身をバランス良く伸ばすことができない。また、使用者が仰臥する台が回転しないため血流を全身に満遍なく送ったり、身体を真っ直ぐにしたりすることが難しい。
【課題を解決するための手段】
【０００５】
本発明の身体伸長矯正装置は、熟練した技能を必要とせず、誰でも手軽に全身の骨を効果的に引き伸ばして身長を伸ばし、身体の捩れや歪みを矯正し、身体のバランスを整え、身体の血流を良くして健康の維持、増進に役立てることができるものである。
【０００６】
本願の身体伸長矯正装置は、次の１〜４の構成を備えるものである。
１．使用者を仰臥させる台と、台を傾斜させる傾斜機構と、台を水平或は傾斜の状態で正・逆回転させる回転機構とを備え、
２．前記台は次の（１）〜（１４）の構成を備え、
（１）台の上に仰臥した使用者の胴体の両側に宛がって胴体を位置決めする脇宛て具と、
（２）当該使用者の胴体を前記台に固定する胴固定ベルトと、
（３）使用者の足首を保持する足首保持具と、
（４）その足首保持具を足先側へ牽引して脛を足先側へ伸長させる足首牽引具と、
（５）使用者の脛上部を保持する脛上部保持具と、
（６）その脛上部保持具を膝側へ牽引して脛を膝側へ伸長させる脛上部牽引具と、
（７）使用者の腿下部を保持する腿下部保持具と、
（８）その腿下部保持具を膝側へ牽引して腿を膝側へ伸長させる腿下部牽引具と、
（９）使用者の腿上部を保持する腿上部保持具と、
（１０）その腿上部保持具を牽引して腿を胴側へ伸長させる腿上部牽引具と、
（１１）使用者の脇及び肩を保持する脇・肩保持具と、
（１２）その脇・肩保持具を頭部側へ牽引して胴を頭部側へ伸長させる脇・肩牽引具と、
（１３）使用者の顎の下に掛けて顎及び頭を保持する顎・頭保持具と、
（１４）その顎・頭保持具を頭頂側へ牽引して首を頭頂側へ伸長させる顎・頭牽引具、
３．前記傾斜機構、回転機構の動作は操作盤で制御可能であり、
４．前記回転機構は、台の裏側中央部に設けられ、台の上面に仰臥する使用者の同中央部下の位置に設けられて、台が傾斜した状態で回転すると、その回転に伴って台の上に仰臥して使用者の頭側と脚側が半周ずつ自動的に上下に変わりながら回転するようにした。
【発明の効果】
【０００７】
本件出願の身体伸長矯正装置は次のような効果がある。
（１）足首牽引具及び脛上部牽引具によって脛の骨（頸骨等）を頭側と足首側とに伸長させ、腿下部牽引具及び腿上部牽引具によって腿の骨（大腿骨等）を腰側と膝側に伸長させ、脇・肩牽引具によって胴の骨（胸椎、腰椎等）を頭部側に伸長させ、顎・頭牽引具によって首の骨（頚椎等）を頭頂側に伸長させるため、全身の骨を効果的に伸長させて使用者の身長を伸ばすことができる。また、脛、腿、胴、首を全て同時に伸長することができるため身体の一部に無理が掛かることもなく、バランスよく全身を伸長させることができる。
（２）使用者が台に仰臥した状態で台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立つ。
（３）台の上に仰臥した使用者の胴体を台に固定する胴固定ベルトを設けたので、それで胴を台に固定すれば仰臥した人が安定し、足首を保持した脚保持具を牽引駆動機構で牽引した場合の牽引効果が高まる。また、台が傾斜したり、回転したり、傾斜した状態で回転したりしても台の上に仰臥した使用者は安定し、台の上で位置ずれしたり、傾いたりすることもない。
（４）台の上に仰臥した使用者の胴体の両側に宛がって胴体を支持する左右の脇宛て具を台の上に設けたので、その脇宛て具で脇を支持して胴体を真っ直ぐに支持することができ、真っ直ぐな胴体を胴固定ベルトで台に固定することができる。
（５）傾斜機構、回転機構の動作は操作盤で制御できるので、台の傾斜角度、回転速度等の操作を、台の回転中でも手軽に行なうことができる。
（６）傾斜機構は台の傾斜角度を調節可能であるため、台の上に仰臥した人の体形、症状にあった傾斜角度に調節することができる。
（７）回転機構は台の裏側中央部であって台の上面に仰臥する使用者の胴の中央部下側になる位置に設けて、台が傾斜した状態で回転するとその回転に伴って台の上に仰臥した使用者の頭側と脚側が半周ずつ自動的に上下に切り替わりながら回転するようにしたので、台の上に仰臥した使用者の全身にバランス良く遠心力がかかり、全身が無理なくバランス良く伸ばされて矯正され、血流が全身に満遍なく送られて促進され、健康の維持、増進に効果的である。
（８）使用者は台に仰臥するだけであるため身体に無理がかからず、自然な状態で使用できる。
（９）足首牽引具、脛上部牽引具、腿下部牽引具、腿上部牽引具、脇・肩牽引具、顎・頭牽引具でそれら箇所を機械的に牽引するだけであるため、整体、マッサージ、骨伸長術についての専門的な知識や熟練技能が必要なく、手軽で安全に身長を伸ばしたり、身体の捩れや歪みを矯正したりすることができる。
（１０）自宅や職場に備えておけば、使用者の都合のよいときに使用できるので便利である。また、費用もかからず、毎日継続して使用できるため効果的である。
【発明を実施するための最良の形態】
【０００８】
（実施形態１）
本発明の身体伸長矯正装置の実施形態の一例を図１〜図６に基づいて説明する。この身体伸長矯正装置１は図１に示すように使用者２が一人だけ仰臥できるサイズの板状の台３を傾斜機構５で傾斜させたり水平に戻したりすることができ、回転機構６で水平或は傾斜している台３を正・逆回転させることができるようにしてある。
【０００９】
前記台３の上には図１〜図４に示すように台３の上に枕２５、左右二つの脇宛て具２６、胴固定ベルト２７、左右の手摺り２８、左右の足首保持具５１、左右の脛上部保持具５２、左右の腿下部保持具５３、左右の腿上部保持具５４、脇・肩保持具５５、顎・頭保持具５６、左右の足首牽引具３１、左右の脛上部牽引具３２、左右の腿下部牽引具３３、左右の腿上部及び脇・肩牽引具３４、顎・頭牽引具３５が設けられている。
【００１０】
前記枕２５は台３の上に面テープ等によって脱着自在に取付けられている。枕２５には使用者２の頭部を支持できるものであれば任意のものを用いることができるが、安定性や感触の面から弾性のあるものを用いることが望ましい。枕２５は中央部分を凹ませて使用者２の頭部を支持し易くしておくこともできる。
【００１１】
前記二つの脇宛て具２６は台３の上に面テープ等によって脱着自在に取付けられ、使用者の胴体を支持すると共に位置決めできるように間隔をあけて配置固定されている。脇宛て具２６には使用者の胴体を回転時や傾斜時の衝撃から保護する役割もあるため、身体の接触感をソフトにするためには弾性のあるものを用いることが望ましい。
【００１２】
前記胴固定ベルト２７は台３の上に取り付けられた二本のベルトで構成されており、二本の胴固定ベルト２７の固定端部は図２に示すように前記二つの脇宛て具２６の夫々の外側に配置固定され、夫々の胴固定ベルト２７の開閉端には図２に示すように互いに係止・離脱可能な面テープ２９が取り付けられており、両胴固定ベルト２７を開いた状態で使用者が両胴固定ベルト２７の固定端部間に仰臥してから、両胴固定ベルト２７の開閉端を閉じて使用者２の胴体の外周に巻付けて面テープ２９同士を係止すると使用者２の胴体を台３の上に固定できるようにしてある。二本の胴固定ベルト２７同士の固定は面テープ２９による固定に限られず、バックル、ボタン、留め金等の任意の固定具を用いることができる。
【００１３】
前記二本の手摺り２８は図３に示すように丸棒状であり、台３の幅方向両側方に台３の長手方向に沿って設けられて、台３の上に仰臥した使用者２が片手で夫々を把持することができるようにしてある。
【００１４】
前記左右の足首保持具５１（図１）は台３の上に仰臥した使用者の足首を、脛上部保持具５２（図１）は同使用者の脛上部を、腿下部保持具５３（図１）は同使用者の腿下部を、腿上部保持具５４（図１）は同使用者の腿上部を、脇・肩保持具５５（図１）は同使用者の脇の下と肩を、顎・頭保持具５６（図１）は同使用者の顎と頭を保持するためのものであり、いずれも図２に明示するように夫々の保持部位に巻き付ける等して夫々の保持部位を固定可能な保持具である。
【００１５】
前記左右の足首牽引具３１（図１、図２）は同じ構造のものであり、台３の上に仰臥した使用者２の足首を保持した足首保持具５１を足先側へ牽引することにより脛下部を足先側に牽引して伸ばすものであり、図１、図４に示すように台３の足元側裏面に固定されている二つの支持体４２間に二本のガイドシャフト４１が配置固定され、両ガイドシャフト４１の間に一本の螺子シャフト４３が回転自在に取り付けられ、前記二本のガイドシャフト４１が足首牽引用可動体４５の挿入孔にスライド可能に挿入され、前記螺子シャフト４３が足首牽引用可動体４５のネジ孔にねじ込まれている。足首牽引用可動体４５の上部は台３に開口した２本のスリット６０（図３、図５）から上方に突出してそのスリット６０に沿ってスライドできるようにしてあり、足首牽引用可動体４５の係止バー４６にフック４７が係止され、そのフック４７を足首保持具５１に係止できるようにしてある。この足首牽引用可動体４５は螺子シャフト４３の足先側端部に取り付けたハンドル４４を右（正）回転させると前記二本のシャフト４１及びスリット６０に沿って前方（頭側）にスライドし、左（逆）回転させると前記二本のシャフト４１に沿って後方（足先側）にスライドするようにしてあり、足首牽引用可動体４５が後方（足先側）にスライドすると足首保持具５１がフック４７で足先側へ牽引されて脛が足先側へ伸ばされるようにしてある。足首牽引用可動体４５はハンドル４４の回転を止めるとその位置に停止し、使用者２の脛の足先側への牽引がその位置に保持される。この停止位置を選択することにより脛の牽引強さを調節することができる。
【００１６】
前記左右の脛上部牽引具３２（図１、図２）は同じ構造のものであり、台３の上に仰臥した使用者２の脛上部に巻きつけて脛上部を保持する脛上部保持具５２を膝側へ牽引することにより脛上部を膝側に伸ばすものであり、図１、図２に示すように台３の中央部上方に立設した支持台６１の上面に固定されている二つの支持体７２間に二本のガイドシャフト７１が配置固定され、両ガイドシャフト７１の間に一本の螺子シャフト７３が回転自在に取り付けられ、前記二本のガイドシャフト７１が脛上部牽引用可動体７５の挿入孔にスライド可能に挿入され、前記螺子シャフト７３が脛上部牽引用可動体７５のネジ孔にねじ込まれている。脛上部牽引用可動体７５の係止孔７６にはワイヤー７８が係止され、そのワイヤー７８をフック７７によって脛上部保持具５２に係止できるようにしてある。この脛上部牽引用可動体７５は螺子シャフト７３の頭側端部に取り付けたハンドル７４を右（正）回転させると前記二本のシャフト７１に沿って前方（足先側）にスライドし、左（逆）回転させると前記二本のシャフト７１に沿って後方（頭側）にスライドするようにしてあり、脛上部牽引用可動体７５が後方（頭側）にスライドすると脛上部保持具５２がフック７７とワイヤー７８で膝側へ牽引されて脛上部が膝側へ伸ばされるようにしてある。脛上部牽引用可動体７５はハンドル７４の回転を止めるとその位置に停止し、使用者２の脛上部の膝側への牽引がその位置に保持される。この停止位置を選択することにより脛上部の牽引強さを調節することができる。
【００１７】
前記左右の腿下部牽引具３３（図１、図２）は同じ構造のものであり、台３の上に仰臥した使用者２の腿下部に巻きつけて腿下部を保持する腿下部保持具５３を膝側へ牽引することにより腿下部を膝側に伸ばすものであり、図１、図２、図５に示すように台３の足元部上方に立設した支持台６２の上面に固定されている二つの支持体８２間に二本のガイドシャフト８１が配置固定され、両ガイドシャフト８１の間に一本の螺子シャフト８３が回転自在に取り付けられ、前記二本のガイドシャフト８１が腿下部牽引用可動体８５の挿入孔にスライド可能に挿入され、前記螺子シャフト８３が腿下部牽引用可動体８５のネジ孔にねじ込まれている。腿下部牽引用可動体８５の係止孔８６にはワイヤー８８が係止され、そのワイヤー８８をフック８７によって腿下部保持具５３に係止できるようにしてある。この腿下部牽引用可動体８５は螺子シャフト８３の足先側端部に取り付けたハンドル８４を右（正）回転させると前記二本のシャフト８１に沿って前方（頭側）にスライドし、左（逆）回転させると前記二本のシャフト８１に沿って後方（足先側）にスライドするようにしてあり、腿下部牽引用可動体８５が後方（足先側）にスライドすると腿下部保持具５３がフック８７とワイヤー８８で膝側へ牽引されて腿下部が膝側へ伸ばされるようにしてある。腿下部牽引用可動体８５はハンドル８４の回転を止めるとその位置に停止し、使用者２の腿下部の膝側への牽引がその位置に保持される。この停止位置を選択することにより腿下部の牽引強さを調節することができる。
【００１８】
前記左右の腿上部及び脇・肩牽引具３４（図１、図２）は同じ構造のものであり、台３の上に仰臥した使用者２の腿上部を保持した腿上部保持具５４を胴側へ、且つ、使用者２の脇及び肩を保持した脇・肩保持具５５を頭部側へ夫々牽引することにより腿上部を胴側に、且つ脇・肩を頭部側に夫々牽引して伸ばすものであり、図１、図２、図６に示すように台３の頭部側裏面に固定されている二つの支持体９２間に二本のガイドシャフト９１が配置固定され、両ガイドシャフト９１の間に一本の螺子シャフト９３が回転自在に取り付けられ、前記二本のガイドシャフト９１が腿上部及び脇・肩牽引用可動体９５の挿入孔にスライド可能に挿入され、前記螺子シャフト９３が腿上部及び脇・肩牽引用可動体９５のネジ孔にねじ込まれている。腿上部及び脇・肩牽引用可動体９５の上部は台３に開口したスリット６３（図２、図６）から上方に突出してそのスリット６３に沿ってスライドできるようにしてあり、腿上部及び脇・肩牽引用可動体９５の係止孔９６に腿上部保持具５４のワイヤー９８及び、脇・肩保持具５５の金具９９を係止できるようにしてある。この腿上部及び脇・肩牽引用可動体９５は螺子シャフト９３の頭部側端部に取り付けたハンドル９４を右（正）回転させると前記二本のシャフト９１及びスリット６３に沿って前方（足先側）にスライドし、左（逆）回転させると前記二本のシャフト９１に沿って後方（頭側）にスライドするようにしてあり、腿上部及び脇・肩牽引用可動体９５が後方（頭側）にスライドすると腿上部保持具５４が胴側へ牽引されて腿上部が胴側へ伸ばされ、且つ、脇・肩保持具５５が頭部側へ牽引されて胴が頭部側へ伸ばされるようにしてある。腿上部及び脇・肩牽引用可動体９５はハンドル９４の回転を止めるとその位置に停止し、使用者２の腿上部の胴側への牽引及び胴の頭部側への牽引がその位置に保持される。この停止位置を選択することにより腿上部及び胴の牽引強さを調節することができる。
【００１９】
前記顎・頭牽引具３５（図１〜図４、図６）は、台３の上に仰臥した使用者２の顎の下に掛けて顎及び頭を保持する顎・頭保持具５６を頭頂側へ牽引することにより顎及び頭を頭頂側に伸ばすものであり、図１、図４に示すように台３の頭部側裏面の、前記左右の腿上部及び脇・肩牽引具３４間に固定されている二つの支持体１０２間に二本のガイドシャフト１０１が配置固定され、両ガイドシャフト１０１の間に一本の螺子シャフト１０３が回転自在に取り付けられ、前記二本のガイドシャフト１０１が顎・頭牽引用可動体１０５の挿入孔にスライド可能に挿入され、前記螺子シャフト１０３が顎・頭牽引用可動体１０５のネジ孔にねじ込まれている。顎・頭牽引用可動体１０５の上部は台３に開口した２本のスリット６４（図３、図６）から上方に突出してそのスリット６４に沿ってスライドできるようにしてあり、顎・頭牽引用可動体１０５の係止バー１０６に顎・頭保持具５６を係止できるようにしてある。この顎・頭牽引用可動体１０５は螺子シャフト１０３の頭部側端部に取り付けたハンドル１０４を右（正）回転させると前記二本のシャフト１０１及びスリット６４に沿って前方（足先側）にスライドし、左（逆）回転させると前記二本のシャフト１０１及びスリット６４に沿って後方（頭側）にスライドするようにしてあり、顎・頭牽引用可動体１０５が後方（頭側）にスライドすると顎・頭保持具５６が頭頂側へ牽引されて首が頭頂側へ伸ばされるようにしてある。顎・頭牽引用可動体１０５はハンドル１０４の回転を止めるとその位置に停止し、使用者２の首の頭頂側への牽引がその位置に保持される。この停止位置を選択することにより首の牽引強さを調節することができる。
【００２０】
前記傾斜機構５にはエアシリンダー或は油圧シリンダーが使用され、それらのロッド１７の先端を台３の裏面に取り付けてある回転機構６の裏面に連結して、ロッド１７を伸縮させると台３が頭側又は足側に傾斜するようにしてある。傾斜角度は、０〜９０度の間で任意に設定することができ、任意の傾斜角度で停止させることができる。傾斜機構５による台３の傾斜は台３の正・逆回転中であっても行うことができる。
【００２１】
前記回転機構６にはモータ２０と回転軸受２４により、台３の裏面に取り付けられているターンテーブル２３を回転させられるようにしたものである。モータ２０を正・逆回転させることにより台３が正・逆回転する。台３は、例えば、毎分０．５〜２０回転の回転速度で回転させることができる。
【００２２】
前記傾斜機構５及び回転機構６の動作は、図１に示す操作盤８によって行うことができるようにしてある。操作盤８は、フレキシブルチューブ１０を介して、装置１の制御機構９に備えられている。操作盤８は、回転機構６を制御して、台３の回転速度を変化させたり、台３の回転方向を変化させたりすることができる。また、傾斜機構５を制御して、台３の傾斜角度を設定・変更させたりすることもできる。また、１分〜３０分の間で、本発明の身体伸長矯正装置１の自動運転時間を設定したりすることもできる。操作盤８には、電源ＯＮ／ＯＦＦスイッチ、水平回転速度調整ツマミ、回転速度メーター、水平回転方向決定スイッチ、傾斜角度設定ツマミ、往復駆動機構作動スイッチ、非常停止ボタン、自動運転設定スイッチ、その他任意のスイッチ、ツマミ、メーター等を設けることができる。操作盤８は、フレキシブルチューブ１０を省略して、操作盤８によって制御機構９を遠隔操作可能とすることもできる。
【００２３】
（使用例）
図１〜図６に示す身体伸長矯正装置を用いて、使用者の全身を伸長し、更に使用者の身体の捩れや歪みをも矯正するには、次のようにする。
（１）図２、図４に示すように使用者２の身体を台３上に仰臥させる。
（２）枕２５、左右二つの脇宛て具２６、胴固定ベルト２７で使用者の頭部及び胴体を固定し、使用者２の身体１を台３上に固定する（図２参照。）。
（３）使用者２の膝を曲げた状態で、左右の足首保持具５１、左右の脛上部保持具５２、左右の腿下部保持具５３、左右の腿上部保持具５４、脇・肩保持具５５、顎・頭保持具５６の各保持具によって使用者２の身体の各部を保持し、その各保持具５１〜５６を各牽引具３１〜３５に係止する。
（４）各牽引具３１〜３５の各ハンドル４４、７４、８４、９４、１０４を回転させて、身体の各部を所望の強さで連続牽引するように調整する。
（５）操作盤８を操作して、傾斜機構５を作動させ、台３を所望の傾斜角度まで傾斜させて停止させる（図１参照。）。
（６）操作盤８を操作して、回転機構６を作動させ、台３を正回転又は逆回転させる。
（７）その状態で所望時間傾斜機構５及び回転機構６を作動させる。
（８）所望の施術が終了したら、操作盤８を再度操作して、回転機構６を停止させて台３の回転を停止させる。
（９）操作盤８を操作して、傾斜させた台３を水平位置まで戻す。
（１０）台３が水平位置まで戻ったら、左右の足首保持具５１、左右の脛上部保持具５２、左右の腿下部保持具５３、左右の腿上部保持具５４、脇・肩保持具５５、顎・頭保持具５６の各保持具を使用者２の身体の各部から取外す。
（１１）枕２５、左右二つの脇宛て具２６、胴固定ベルト２７による身体の固定を解除し、使用者２を台３から降ろす。
【００２４】
前記使用例において、（５）と（６）の工程は入れ替えて行うこともできる。また、（５）と（６）の工程のうち一方の工程を省略することもできる。また、操作盤８による操作は、使用者が自ら行うことも、他に操作者を用意してその操作者に操作させることもできる。また、予め身体伸長矯正装置１が行う動作を設定しておき、（５）〜（９）の工程を自動で行うことができるようにしておくことも可能である。
【００２５】
（その他の実施形態）
本発明の身体伸長矯正装置においては、腿上部牽引具と脇・肩牽引具とを別個に台に設け、使用者の腿と胴を別々に牽引可能とすることもできる。また、足首牽引具、腿上部及び脇・肩牽引具、顎・顔牽引具は、台３の裏面のみならず表面に備えることもできる。
【００２６】
各牽引具３１〜３５は、自動で各ハンドル４４、７４、８４、９４、１０４を回転可能としたり、自動で各牽引用可動体４５、７５、８５、９５、１０５を前後スライドさせられるようにすることもできる。また各牽引具３１〜３５は、使用者の身体の各部を連続牽引するものには限られず、間欠牽引するものとすることもできる。
【００２７】
本発明の身体伸長矯正装置は、前記実施形態１記載の身体各部の牽引には限られず、他の任意の部分を牽引するものとすることもできる。また、上記各牽引具３１〜３５のいずれかを省略することも可能である。
【００２８】
本発明の身体伸長矯正装置においては、回転機構、傾斜機構のうち、一方を省略することもできる。従って、例えば、往復駆動機構を省略し、台の傾斜及び回転のみを行うことができる身体伸長矯正装置とすることもできる。
【００２９】
前記実施形態１に示す本発明の身体伸長矯正装置はあくまで一例であって、各部材、機構の形状、構造、大きさ、数量等は、前記のものには限られず、任意とすることができる。
【産業上の利用可能性】
【００３０】
本発明の身体伸長矯正装置は、身長伸ばし用や身体の捩れ・歪みの矯正用の装置には限られず、医科歯科治療用の寝台等、人間を仰臥させて使用する装置にも広く応用することができる。
【図面の簡単な説明】
【００３１】
【図１】本発明の身体伸長矯正装置の実施形態の一例を示す正面図。
【図２】図１に示す身体伸長矯正装置の台上に使用者が仰臥した様子を示す斜視説明図。
【図３】図１に示す身体伸長矯正装置の平面図。
【図４】図１に示す身体伸長矯正装置の台を平らにした状態を示す正面図。
【図５】図１に示す身体伸長矯正装置によって使用者の脛及び腿を牽引する様子を示す斜視説明図。
【図６】図１に示す身体伸長矯正装置の脇・肩牽引具及び顎・顔牽引具を示す斜視説明図。
【符号の説明】
【００３２】
１  身体伸長矯正装置
２  使用者
３  台
５  傾斜機構
６  回転機構
８  操作盤
２５  枕
２６  脇宛て具
２７  胴固定ベルト
２８  手摺り
３１  足首牽引具
３２  脛上部牽引具
３３  腿下部牽引具
３４  腿上部及び脇・肩牽引具
３５  顎・頭牽引具
５１  足首保持具
５２  脛上部保持具
５３  腿下部保持具
５４  腿上部保持具
５５  脇・肩保持具
５６  顎・頭保持具
【図１】
2007300969.tif 000003
【図２】
2007300969.tif 000004
【図３】
2007300969.tif 000005
【図４】
2007300969.tif 000006
【図５】
2007300969.tif 000007
【図６】
2007300969.tif 000008
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
次の１〜４の構成を備えることを特徴とする身体伸長矯正装置。
１．使用者を仰臥させる台と、台を傾斜させる傾斜機構と、台を水平或は傾斜の状態で正・逆回転させる回転機構とを備え、
２．前記台は次の（１）〜（９）の構成を備え、
（１）台の上に仰臥した使用者の胴体を前記台に固定する胴固定ベルトと、
（２）使用者の足首を保持する足首保持具と、
（３）前記足首保持具を足先側へ牽引して脛を足先側へ伸長させる足首牽引具と、
（４）使用者の脛上部を保持する脛上部保持具と、
（５）その脛上部保持具を膝側へ牽引して脛を膝側へ伸長させる脛上部牽引具と、
（６）使用者の腿下部を保持する腿下部保持具と、
（７）その腿下部保持具を膝側へ牽引して腿を膝側へ伸長させる腿下部牽引具と、
（８）使用者の腿上部を保持する腿上部保持具と、
（９）その腿上部保持具を牽引して腿を胴側へ伸長させる腿上部牽引具と、
３．前記傾斜機構、回転機構の動作は操作盤で制御可能であり、
４．前記回転機構は、台の裏側中央部に設けられ、台の上面に仰臥する使用者の同中央部下の位置に設けられて、台が傾斜した状態で回転すると、その回転に伴って台の上に仰臥して使用者の頭側と脚側が半周ずつ自動的に上下に変わりながら回転するようにした。
【請求項２】
請求項１記載の身体伸長矯正装置において、台の上に仰臥した使用者の胴体の両側に宛がって胴体を位置決めする脇宛て具をも備えたことを特徴とする身体伸長矯正装置。
【請求項３】
請求項１記載の身体伸長矯正装置において、使用者の脇及び肩を保持する脇・肩保持具と、前記脇・肩保持具を頭部側へ牽引して胴を頭部側へ伸長させる脇・肩牽引具をも備えたことを特徴とする身体伸長矯正装置。
【請求項４】
請求項１記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具をも備えたことを特徴とする身体伸長矯正装置。
【請求項５】
請求項２記載の身体伸長矯正装置において、使用者の脇及び肩を保持する脇・肩保持具と、前記脇・肩保持具を頭部側へ牽引して胴を頭部側へ伸長させる脇・肩牽引具をも備えたことを特徴とする身体伸長矯正装置。
【請求項６】
請求項２記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具をも備えたことを特徴とする身体伸長矯正装置。
【請求項７】
請求項５記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具をも備えたことを特徴とする身体伸長矯正装置。
【手続補正２】
【補正対象書類名】明細書
【補正対象項目名】全文
【補正方法】変更
【補正の内容】
【発明の詳細な説明】
【技術分野】
【０００１】
本発明は、全身の骨を伸長させることによって安全且つ後戻りすることなく身長を伸ばし、さらに身体の捩れや歪みを矯正して身体のバランスを整え、身体の血流を良くして健康の維持、増進に役立てることができる身体伸長矯正装置に関する。
【背景技術】
【０００２】
従来、身長を伸ばしたり、身体の捩れや歪みを矯正したりする装置としては、エアバッグの上に仰臥した使用者の足側を、エアバッグを膨張させて上方に持ち上げて、使用者の頭側を必ず下にし、足側の支柱を中心に回転させるものや（特許文献１参照）、足首及び上半身を固定し、足首を長手方向に前後動させるものや（特許文献２参照）、顎と足首を保持して夫々を反対方向へ牽引するもの（特許文献３参照）等がある。
【０００３】
【特許文献１】特開２００３−１９０１９９号公報
【特許文献２】特開２００３−１４４５７８号公報
【特許文献３】特開平１０−１３７２７８号公報
【発明の開示】
【発明が解決しようとする課題】
【０００４】
しかし、従来の特許文献１〜３記載の装置には、次のような課題がある。
（１）特許文献１記載の装置は、使用者の足側を上方に持ち上げ、使用者の頭側を必ず下向きにし、更に使用者の足側の支柱を中心にエアバッグが旋回するため、回転による遠心力が使用者の頭部側のみに集中してしまい、全身を効果的に伸長させるとか、血流を全身に満遍なく送ることができないという課題がある。
（２）特許文献２や特許文献３記載の装置は、使用者の足や顎のみを牽引するため、全身をバランス良く伸ばすことができない。また、使用者が仰臥する台が回転しないため血流を全身に満遍なく送ったり、身体を真っ直ぐにしたりすることが難しい。
【課題を解決するための手段】
【０００５】
本発明の身体伸長矯正装置は、熟練した技能を必要とせず、誰でも手軽に全身の骨を効果的に引き伸ばして身長を伸ばし、身体の捩れや歪みを矯正し、身体のバランスを整え、身体の血流を良くして健康の維持、増進に役立てることができるものである。
【０００６】
本件出願の身体伸長矯正装置は請求１記載のように、次の１〜４の構成を備えるものである。
１．使用者を仰臥させる台と、台を傾斜させる傾斜機構と、台を水平或は傾斜の状態で正・逆回転させる回転機構とを備え、
２．前記台は次の（１）〜（９）の構成を備え、
（１）台の上に仰臥した使用者の胴体を前記台に固定する胴固定ベルトと、
（２）使用者の足首を保持する足首保持具と、
（３）前記足首保持具を足先側へ牽引して脛を足先側へ伸長させる足首牽引具と、
（４）使用者の脛上部を保持する脛上部保持具と、
（５）その脛上部保持具を膝側へ牽引して脛を膝側へ伸長させる脛上部牽引具と、
（６）使用者の腿下部を保持する腿下部保持具と、
（７）その腿下部保持具を膝側へ牽引して腿を膝側へ伸長させる腿下部牽引具と、
（８）使用者の腿上部を保持する腿上部保持具と、
（９）その腿上部保持具を牽引して腿を胴側へ伸長させる腿上部牽引具と、
３．前記傾斜機構、回転機構の動作は操作盤で制御可能であり、
４．前記回転機構は、台の裏側中央部に設けられ、台の上面に仰臥する使用者の同中央部下の位置に設けられて、台が傾斜した状態で回転すると、その回転に伴って台の上に仰臥して使用者の頭側と脚側が半周ずつ自動的に上下に変わりながら回転するようにした。
【０００７】
本件出願の身体伸長矯正装置は請求項２記載のように、請求項１記載の身体伸長矯正装置において、台の上に仰臥した使用者の胴体の両側に宛がって胴体を位置決めする脇宛て具を備えることもできる。
【０００８】
本件出願の身体伸長矯正装置は請求項３記載のように、請求項１記載の身体伸長矯正装置において、使用者の脇及び肩を保持する脇・肩保持具と、前記脇・肩保持具を頭部側へ牽引して胴を頭部側へ伸長させる脇・肩牽引具を備えることもできる。
【０００９】
本件出願の身体伸長矯正装置は請求項４記載のように、請求項１記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具を備えることもできる。
【００１０】
本件出願の身体伸長矯正装置は請求項５記載のように、請求項２記載の身体伸長矯正装置において、使用者の脇及び肩を保持する脇・肩保持具と、前記脇・肩保持具を頭部側へ牽引して胴を頭部側へ伸長させる脇・肩牽引具を備えることもできる。
【００１１】
本件出願の身体伸長矯正装置は請求項６記載のように、請求項２記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具を備えることもできる。
【００１２】
本件出願の身体伸長矯正装置は請求項７記載のように、請求項５記載の身体伸長矯正装置において、使用者の顎の下に掛けて顎及び頭を保持する顎・頭保持具と、前記顎・頭保持具を頭頂側へ牽引して首を頭頂側へ伸長させる顎・頭牽引具を備えたものとすることもできる。
【発明の効果】
【００１３】
本件出願の請求項１〜７記載の身体伸長矯正装置は次のような効果がある。
（１）足首牽引具及び脛上部牽引具によって脛の骨（頸骨等）を頭側と足首側とに伸長させ、腿下部牽引具及び腿上部牽引具によって腿の骨（大腿骨等）を腰側と膝側に伸長させ、脇・肩牽引具によって胴の骨（胸椎、腰椎等）を頭部側に伸長させ、顎・頭牽引具によって首の骨（頚椎等）を頭頂側に伸長させるため、全身の骨を効果的に伸長させて使用者の身長を伸ばすことができる。また、脛、腿、胴、首を全て同時に伸長することができるため身体の一部に無理が掛かることもなく、バランスよく全身を伸長させることができる。
（２）使用者が台に仰臥した状態で台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立つ。
（３）台の上に仰臥した使用者の胴体を台に固定する胴固定ベルトを設けたので、それで胴を台に固定すれば仰臥した人が安定し、足首を保持した脚保持具を牽引駆動機構で牽引した場合の牽引効果が高まる。また、台が傾斜したり、回転したり、傾斜した状態で回転したりしても台の上に仰臥した使用者は安定し、台の上で位置ずれしたり、傾いたりすることもない。
（４）台の上に仰臥した使用者の胴体の両側に宛がって胴体を支持する左右の脇宛て具を台の上に設けたので、その脇宛て具で脇を支持して胴体を真っ直ぐに支持することができ、真っ直ぐな胴体を胴固定ベルトで台に固定することができる。
（５）傾斜機構、回転機構の動作は操作盤で制御できるので、台の傾斜角度、回転速度等の操作を、台の回転中でも手軽に行なうことができる。
（６）傾斜機構は台の傾斜角度を調節可能であるため、台の上に仰臥した人の体形、症状にあった傾斜角度に調節することができる。
（７）回転機構は台の裏側中央部であって台の上面に仰臥する使用者の胴の中央部下側になる位置に設けて、台が傾斜した状態で回転するとその回転に伴って台の上に仰臥した使用者の頭側と脚側が半周ずつ自動的に上下に切り替わりながら回転するようにしたので、台の上に仰臥した使用者の全身にバランス良く遠心力がかかり、全身が無理なくバランス良く伸ばされて矯正され、血流が全身に満遍なく送られて促進され、健康の維持、増進に効果的である。
（８）使用者は台に仰臥するだけであるため身体に無理がかからず、自然な状態で使用できる。
（９）足首牽引具、脛上部牽引具、腿下部牽引具、腿上部牽引具、脇・肩牽引具、顎・頭牽引具でそれら箇所を機械的に牽引するだけであるため、整体、マッサージ、骨伸長術についての専門的な知識や熟練技能が必要なく、手軽で安全に身長を伸ばしたり、身体の捩れや歪みを矯正したりすることができる。
（１０）自宅や職場に備えておけば、使用者の都合のよいときに使用できるので便利である。また、費用もかからず、毎日継続して使用できるため効果的である。
【発明を実施するための最良の形態】
【００１４】
（実施形態１）
本発明の身体伸長矯正装置の実施形態の一例を図１〜図６に基づいて説明する。この身体伸長矯正装置１は図１に示すように使用者２が一人だけ仰臥できるサイズの板状の台３を傾斜機構５で傾斜させたり水平に戻したりすることができ、回転機構６で水平或は傾斜している台３を正・逆回転させることができるようにしてある。
【００１５】
前記台３の上には図１〜図４に示すように台３の上に枕２５、左右二つの脇宛て具２６、胴固定ベルト２７、左右の手摺り２８、左右の足首保持具５１、左右の脛上部保持具５２、左右の腿下部保持具５３、左右の腿上部保持具５４、脇・肩保持具５５、顎・頭保持具５６、左右の足首牽引具３１、左右の脛上部牽引具３２、左右の腿下部牽引具３３、左右の腿上部及び脇・肩牽引具３４、顎・頭牽引具３５が設けられている。
【００１６】
前記枕２５は台３の上に面テープ等によって脱着自在に取付けられている。枕２５には使用者２の頭部を支持できるものであれば任意のものを用いることができるが、安定性や感触の面から弾性のあるものを用いることが望ましい。枕２５は中央部分を凹ませて使用者２の頭部を支持し易くしておくこともできる。
【００１７】
前記二つの脇宛て具２６は台３の上に面テープ等によって脱着自在に取付けられ、使用者の胴体を支持すると共に位置決めできるように間隔をあけて配置固定されている。脇宛て具２６には使用者の胴体を回転時や傾斜時の衝撃から保護する役割もあるため、身体の接触感をソフトにするためには弾性のあるものを用いることが望ましい。
【００１８】
前記胴固定ベルト２７は台３の上に取り付けられた二本のベルトで構成されており、二本の胴固定ベルト２７の固定端部は図２に示すように前記二つの脇宛て具２６の夫々の外側に配置固定され、夫々の胴固定ベルト２７の開閉端には図２に示すように互いに係止・離脱可能な面テープ２９が取り付けられており、両胴固定ベルト２７を開いた状態で使用者が両胴固定ベルト２７の固定端部間に仰臥してから、両胴固定ベルト２７の開閉端を閉じて使用者２の胴体の外周に巻付けて面テープ２９同士を係止すると使用者２の胴体を台３の上に固定できるようにしてある。二本の胴固定ベルト２７同士の固定は面テープ２９による固定に限られず、バックル、ボタン、留め金等の任意の固定具を用いることができる。
【００１９】
前記二本の手摺り２８は図３に示すように丸棒状であり、台３の幅方向両側方に台３の長手方向に沿って設けられて、台３の上に仰臥した使用者２が片手で夫々を把持することができるようにしてある。
【００２０】
前記左右の足首保持具５１（図１）は台３の上に仰臥した使用者の足首を、脛上部保持具５２（図１）は同使用者の脛上部を、腿下部保持具５３（図１）は同使用者の腿下部を、腿上部保持具５４（図１）は同使用者の腿上部を、脇・肩保持具５５（図１）は同使用者の脇の下と肩を、顎・頭保持具５６（図１）は同使用者の顎と頭を保持するためのものであり、いずれも図２に明示するように夫々の保持部位に巻き付ける等して夫々の保持部位を固定可能な保持具である。
【００２１】
前記左右の足首牽引具３１（図１、図２）は同じ構造のものであり、台３の上に仰臥した使用者２の足首を保持した足首保持具５１を足先側へ牽引することにより脛下部を足先側に牽引して伸ばすものであり、図１、図４に示すように台３の足元側裏面に固定されている二つの支持体４２間に二本のガイドシャフト４１が配置固定され、両ガイドシャフト４１の間に一本の螺子シャフト４３が回転自在に取り付けられ、前記二本のガイドシャフト４１が足首牽引用可動体４５の挿入孔にスライド可能に挿入され、前記螺子シャフト４３が足首牽引用可動体４５のネジ孔にねじ込まれている。足首牽引用可動体４５の上部は台３に開口した２本のスリット６０（図３、図５）から上方に突出してそのスリット６０に沿ってスライドできるようにしてあり、足首牽引用可動体４５の係止バー４６にフック４７が係止され、そのフック４７を足首保持具５１に係止できるようにしてある。この足首牽引用可動体４５は螺子シャフト４３の足先側端部に取り付けたハンドル４４を右（正）回転させると前記二本のシャフト４１及びスリット６０に沿って前方（頭側）にスライドし、左（逆）回転させると前記二本のシャフト４１に沿って後方（足先側）にスライドするようにしてあり、足首牽引用可動体４５が後方（足先側）にスライドすると足首保持具５１がフック４７で足先側へ牽引されて脛が足先側へ伸ばされるようにしてある。足首牽引用可動体４５はハンドル４４の回転を止めるとその位置に停止し、使用者２の脛の足先側への牽引がその位置に保持される。この停止位置を選択することにより脛の牽引強さを調節することができる。
【００２２】
前記左右の脛上部牽引具３２（図１、図２）は同じ構造のものであり、台３の上に仰臥した使用者２の脛上部に巻きつけて脛上部を保持する脛上部保持具５２を膝側へ牽引することにより脛上部を膝側に伸ばすものであり、図１、図２に示すように台３の中央部上方に立設した支持台６１の上面に固定されている二つの支持体７２間に二本のガイドシャフト７１が配置固定され、両ガイドシャフト７１の間に一本の螺子シャフト７３が回転自在に取り付けられ、前記二本のガイドシャフト７１が脛上部牽引用可動体７５の挿入孔にスライド可能に挿入され、前記螺子シャフト７３が脛上部牽引用可動体７５のネジ孔にねじ込まれている。脛上部牽引用可動体７５の係止孔７６にはワイヤー７８が係止され、そのワイヤー７８をフック７７によって脛上部保持具５２に係止できるようにしてある。この脛上部牽引用可動体７５は螺子シャフト７３の頭側端部に取り付けたハンドル７４を右（正）回転させると前記二本のシャフト７１に沿って前方（足先側）にスライドし、左（逆）回転させると前記二本のシャフト７１に沿って後方（頭側）にスライドするようにしてあり、脛上部牽引用可動体７５が後方（頭側）にスライドすると脛上部保持具５２がフック７７とワイヤー７８で膝側へ牽引されて脛上部が膝側へ伸ばされるようにしてある。脛上部牽引用可動体７５はハンドル７４の回転を止めるとその位置に停止し、使用者２の脛上部の膝側への牽引がその位置に保持される。この停止位置を選択することにより脛上部の牽引強さを調節することができる。
【００２３】
前記左右の腿下部牽引具３３（図１、図２）は同じ構造のものであり、台３の上に仰臥した使用者２の腿下部に巻きつけて腿下部を保持する腿下部保持具５３を膝側へ牽引することにより腿下部を膝側に伸ばすものであり、図１、図２、図５に示すように台３の足元部上方に立設した支持台６２の上面に固定されている二つの支持体８２間に二本のガイドシャフト８１が配置固定され、両ガイドシャフト８１の間に一本の螺子シャフト８３が回転自在に取り付けられ、前記二本のガイドシャフト８１が腿下部牽引用可動体８５の挿入孔にスライド可能に挿入され、前記螺子シャフト８３が腿下部牽引用可動体８５のネジ孔にねじ込まれている。腿下部牽引用可動体８５の係止孔８６にはワイヤー８８が係止され、そのワイヤー８８をフック８７によって腿下部保持具５３に係止できるようにしてある。この腿下部牽引用可動体８５は螺子シャフト８３の足先側端部に取り付けたハンドル８４を右（正）回転させると前記二本のシャフト８１に沿って前方（頭側）にスライドし、左（逆）回転させると前記二本のシャフト８１に沿って後方（足先側）にスライドするようにしてあり、腿下部牽引用可動体８５が後方（足先側）にスライドすると腿下部保持具５３がフック８７とワイヤー８８で膝側へ牽引されて腿下部が膝側へ伸ばされるようにしてある。腿下部牽引用可動体８５はハンドル８４の回転を止めるとその位置に停止し、使用者２の腿下部の膝側への牽引がその位置に保持される。この停止位置を選択することにより腿下部の牽引強さを調節することができる。
【００２４】
前記左右の腿上部及び脇・肩牽引具３４（図１、図２）は同じ構造のものであり、台３の上に仰臥した使用者２の腿上部を保持した腿上部保持具５４を胴側へ、且つ、使用者２の脇及び肩を保持した脇・肩保持具５５を頭部側へ夫々牽引することにより腿上部を胴側に、且つ脇・肩を頭部側に夫々牽引して伸ばすものであり、図１、図２、図６に示すように台３の頭部側裏面に固定されている二つの支持体９２間に二本のガイドシャフト９１が配置固定され、両ガイドシャフト９１の間に一本の螺子シャフト９３が回転自在に取り付けられ、前記二本のガイドシャフト９１が腿上部及び脇・肩牽引用可動体９５の挿入孔にスライド可能に挿入され、前記螺子シャフト９３が腿上部及び脇・肩牽引用可動体９５のネジ孔にねじ込まれている。腿上部及び脇・肩牽引用可動体９５の上部は台３に開口したスリット６３（図２、図６）から上方に突出してそのスリット６３に沿ってスライドできるようにしてあり、腿上部及び脇・肩牽引用可動体９５の係止孔９６に腿上部保持具５４のワイヤー９８及び、脇・肩保持具５５の金具９９を係止できるようにしてある。この腿上部及び脇・肩牽引用可動体９５は螺子シャフト９３の頭部側端部に取り付けたハンドル９４を右（正）回転させると前記二本のシャフト９１及びスリット６３に沿って前方（足先側）にスライドし、左（逆）回転させると前記二本のシャフト９１に沿って後方（頭側）にスライドするようにしてあり、腿上部及び脇・肩牽引用可動体９５が後方（頭側）にスライドすると腿上部保持具５４が胴側へ牽引されて腿上部が胴側へ伸ばされ、且つ、脇・肩保持具５５が頭部側へ牽引されて胴が頭部側へ伸ばされるようにしてある。腿上部及び脇・肩牽引用可動体９５はハンドル９４の回転を止めるとその位置に停止し、使用者２の腿上部の胴側への牽引及び胴の頭部側への牽引がその位置に保持される。この停止位置を選択することにより腿上部及び胴の牽引強さを調節することができる。
【００２５】
前記顎・頭牽引具３５（図１〜図４、図６）は、台３の上に仰臥した使用者２の顎の下に掛けて顎及び頭を保持する顎・頭保持具５６を頭頂側へ牽引することにより顎及び頭を頭頂側に伸ばすものであり、図１、図４に示すように台３の頭部側裏面の、前記左右の腿上部及び脇・肩牽引具３４間に固定されている二つの支持体１０２間に二本のガイドシャフト１０１が配置固定され、両ガイドシャフト１０１の間に一本の螺子シャフト１０３が回転自在に取り付けられ、前記二本のガイドシャフト１０１が顎・頭牽引用可動体１０５の挿入孔にスライド可能に挿入され、前記螺子シャフト１０３が顎・頭牽引用可動体１０５のネジ孔にねじ込まれている。顎・頭牽引用可動体１０５の上部は台３に開口した２本のスリット６４（図３、図６）から上方に突出してそのスリット６４に沿ってスライドできるようにしてあり、顎・頭牽引用可動体１０５の係止バー１０６に顎・頭保持具５６を係止できるようにしてある。この顎・頭牽引用可動体１０５は螺子シャフト１０３の頭部側端部に取り付けたハンドル１０４を右（正）回転させると前記二本のシャフト１０１及びスリット６４に沿って前方（足先側）にスライドし、左（逆）回転させると前記二本のシャフト１０１及びスリット６４に沿って後方（頭側）にスライドするようにしてあり、顎・頭牽引用可動体１０５が後方（頭側）にスライドすると顎・頭保持具５６が頭頂側へ牽引されて首が頭頂側へ伸ばされるようにしてある。顎・頭牽引用可動体１０５はハンドル１０４の回転を止めるとその位置に停止し、使用者２の首の頭頂側への牽引がその位置に保持される。この停止位置を選択することにより首の牽引強さを調節することができる。
【００２６】
前記傾斜機構５にはエアシリンダー或は油圧シリンダーが使用され、それらのロッド１７の先端を台３の裏面に取り付けてある回転機構６の裏面に連結して、ロッド１７を伸縮させると台３が頭側又は足側に傾斜するようにしてある。傾斜角度は、０〜９０度の間で任意に設定することができ、任意の傾斜角度で停止させることができる。傾斜機構５による台３の傾斜は台３の正・逆回転中であっても行うことができる。
【００２７】
前記回転機構６にはモータ２０と回転軸受２４により、台３の裏面に取り付けられているターンテーブル２３を回転させられるようにしたものである。モータ２０を正・逆回転させることにより台３が正・逆回転する。台３は、例えば、毎分０．５〜２０回転の回転速度で回転させることができる。
【００２８】
前記傾斜機構５及び回転機構６の動作は、図１に示す操作盤８によって行うことができるようにしてある。操作盤８は、フレキシブルチューブ１０を介して、装置１の制御機構９に備えられている。操作盤８は、回転機構６を制御して、台３の回転速度を変化させたり、台３の回転方向を変化させたりすることができる。また、傾斜機構５を制御して、台３の傾斜角度を設定・変更させたりすることもできる。また、１分〜３０分の間で、本発明の身体伸長矯正装置１の自動運転時間を設定したりすることもできる。操作盤８には、電源ＯＮ／ＯＦＦスイッチ、水平回転速度調整ツマミ、回転速度メーター、水平回転方向決定スイッチ、傾斜角度設定ツマミ、往復駆動機構作動スイッチ、非常停止ボタン、自動運転設定スイッチ、その他任意のスイッチ、ツマミ、メーター等を設けることができる。操作盤８は、フレキシブルチューブ１０を省略して、操作盤８によって制御機構９を遠隔操作可能とすることもできる。
【００２９】
（使用例）
図１〜図６に示す身体伸長矯正装置を用いて、使用者の全身を伸長し、更に使用者の身体の捩れや歪みをも矯正するには、次のようにする。
（１）図２、図４に示すように使用者２の身体を台３上に仰臥させる。
（２）枕２５、左右二つの脇宛て具２６、胴固定ベルト２７で使用者の頭部及び胴体を固定し、使用者２の身体１を台３上に固定する（図２参照。）。
（３）使用者２の膝を曲げた状態で、左右の足首保持具５１、左右の脛上部保持具５２、左右の腿下部保持具５３、左右の腿上部保持具５４、脇・肩保持具５５、顎・頭保持具５６の各保持具によって使用者２の身体の各部を保持し、その各保持具５１〜５６を各牽引具３１〜３５に係止する。
（４）各牽引具３１〜３５の各ハンドル４４、７４、８４、９４、１０４を回転させて、身体の各部を所望の強さで連続牽引するように調整する。
（５）操作盤８を操作して、傾斜機構５を作動させ、台３を所望の傾斜角度まで傾斜させて停止させる（図１参照。）。
（６）操作盤８を操作して、回転機構６を作動させ、台３を正回転又は逆回転させる。
（７）その状態で所望時間傾斜機構５及び回転機構６を作動させる。
（８）所望の施術が終了したら、操作盤８を再度操作して、回転機構６を停止させて台３の回転を停止させる。
（９）操作盤８を操作して、傾斜させた台３を水平位置まで戻す。
（１０）台３が水平位置まで戻ったら、左右の足首保持具５１、左右の脛上部保持具５２、左右の腿下部保持具５３、左右の腿上部保持具５４、脇・肩保持具５５、顎・頭保持具５６の各保持具を使用者２の身体の各部から取外す。
（１１）枕２５、左右二つの脇宛て具２６、胴固定ベルト２７による身体の固定を解除し、使用者２を台３から降ろす。
【００３０】
前記使用例において、（５）と（６）の工程は入れ替えて行うこともできる。また、（５）と（６）の工程のうち一方の工程を省略することもできる。また、操作盤８による操作は、使用者が自ら行うことも、他に操作者を用意してその操作者に操作させることもできる。また、予め身体伸長矯正装置１が行う動作を設定しておき、（５）〜（９）の工程を自動で行うことができるようにしておくことも可能である。
【００３１】
（その他の実施形態）
本発明の身体伸長矯正装置においては、腿上部牽引具と脇・肩牽引具とを別個に台に設け、使用者の腿と胴を別々に牽引可能とすることもできる。また、足首牽引具、腿上部及び脇・肩牽引具、顎・顔牽引具は、台３の裏面のみならず表面に備えることもできる。
【００３２】
各牽引具３１〜３５は、自動で各ハンドル４４、７４、８４、９４、１０４を回転可能としたり、自動で各牽引用可動体４５、７５、８５、９５、１０５を前後スライドさせられるようにすることもできる。また各牽引具３１〜３５は、使用者の身体の各部を連続牽引するものには限られず、間欠牽引するものとすることもできる。
【００３３】
本発明の身体伸長矯正装置は、前記実施形態１記載の身体各部の牽引には限られず、他の任意の部分を牽引するものとすることもできる。また、上記各牽引具３１〜３５のいずれかを省略することも可能である。
【００３４】
本発明の身体伸長矯正装置においては、回転機構、傾斜機構のうち、一方を省略することもできる。従って、例えば、往復駆動機構を省略し、台の傾斜及び回転のみを行うことができる身体伸長矯正装置とすることもできる。
【００３５】
前記実施形態１に示す本発明の身体伸長矯正装置はあくまで一例であって、各部材、機構の形状、構造、大きさ、数量等は、前記のものには限られず、任意とすることができる。
【産業上の利用可能性】
【００３６】
本発明の身体伸長矯正装置は、身長伸ばし用や身体の捩れ・歪みの矯正用の装置には限られず、医科歯科治療用の寝台等、人間を仰臥させて使用する装置にも広く応用することができる。
【図面の簡単な説明】
【００３７】
【図１】本発明の身体伸長矯正装置の実施形態の一例を示す正面図。
【図２】図１に示す身体伸長矯正装置の台上に使用者が仰臥した様子を示す斜視説明図。
【図３】図１に示す身体伸長矯正装置の平面図。
【図４】図１に示す身体伸長矯正装置の台を平らにした状態を示す正面図。
【図５】図１に示す身体伸長矯正装置によって使用者の脛及び腿を牽引する様子を示す斜視説明図。
【図６】図１に示す身体伸長矯正装置の脇・肩牽引具及び顎・顔牽引具を示す斜視説明図。
【符号の説明】
【００３８】
１  身体伸長矯正装置
２  使用者
３  台
５  傾斜機構
６  回転機構
８  操作盤
２５  枕
２６  脇宛て具
２７  胴固定ベルト
２８  手摺り
３１  足首牽引具
３２  脛上部牽引具
３３  腿下部牽引具
３４  腿上部及び脇・肩牽引具
３５  顎・頭牽引具
５１  足首保持具
５２  脛上部保持具
５３  腿下部保持具
５４  腿上部保持具
５５  脇・肩保持具
５６  顎・頭保持具
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
次の１〜６の構成を備えることを特徴とする身体伸長矯正装置。
１．使用者（２）の身体全体を仰臥させる台（３）と、使用者（２）を仰臥させたまま台（３）全体を傾斜させることのできる傾斜機構（５）と、使用者（２）を仰臥させたまま台（３）全体を水平或は傾斜の状態で正・逆回転させることのできる回転機構（６）とを備え、
２．前記台（３）は次の（Ａ）〜（Ｉ）の構成を備え、
（Ａ）台（３）の上に仰臥した使用者（２）の胴体を前記台（３）に固定する胴固定ベルト（２７）と、
（Ｂ）使用者（２）の足首に装着して足首を保持する足首保持具（５１）と、
（Ｃ）前記足首保持具（５１）を足先側へ牽引して脛を足先側へ伸長させる足首牽引具（３１）と、
（Ｄ）使用者（２）の脛上部に装着して脛上部を保持する脛上部保持具（５２）と、
（Ｅ）その脛上部保持具（５２）を膝側へ牽引して脛を膝側へ伸長させる脛上部牽引具（３２）と、
（Ｆ）使用者（２）の腿下部に装着して腿下部を保持する腿下部保持具（５３）と、
（Ｇ）その腿下部保持具（５３）を膝側へ牽引して腿を膝側へ伸長させる腿下部牽引具（３３）と、
（Ｈ）使用者（２）の腿上部に装着して腿上部を保持する腿上部保持具（５４）と、
（Ｉ）その腿上部保持具（５４）を牽引して腿を胴側へ伸長させる腿上部牽引具（３４）と、
３．使用者（２）の足首を保持した足首保持具（５１）を足首牽引具（３１）で足先側へ牽引し、使用者（２）の脛上部を保持した脛上部保持具（５２）を脛上部牽引具（３２）で膝側へ牽引して脛を足先側と膝側の両側へ伸長させ、
４．使用者（２）の腿下部を保持した腿下部保持具（５３）を腿下部牽引具（３３）で膝側へ牽引し、使用者（２）の腿上部を保持した腿上部保持具（５４）を腿上部牽引具（３４）で胴側へ牽引して腿を膝側と胴側の両側へ伸長させ、
５．前記傾斜機構（５）、回転機構（６）の動作は操作盤（８）で制御可能であり、
６．前記回転機構（６）は、台（３）の裏側中央部に設けられ、台（３）の上面に仰臥する使用者（２）の同中央部下の位置に設けられて、台（３）が傾斜した状態で回転すると、その回転に伴って台（３）の上に仰臥した使用者（２）の頭側と脚側が半周ずつ自動的に上下に変わりながら回転するようにした。
【請求項２】
請求項１記載の身体伸長矯正装置において、台（３）の上に仰臥した使用者（２）の胴体の両側に宛がって胴体を位置決めする脇宛て具（２６）をも備えたことを特徴とする身体伸長矯正装置。
【請求項３】
請求項１記載の身体伸長矯正装置において、使用者（２）の脇及び肩を保持する脇・肩保持具（５５）と、前記脇・肩保持具（５５）を頭部側へ牽引して胴を頭部側へ伸長させる脇・肩牽引具（３４）をも備えたことを特徴とする身体伸長矯正装置。
【請求項４】
請求項１記載の身体伸長矯正装置において、使用者（２）の顎の下に掛けて顎及び頭を保持する顎・頭保持具（５６）と、前記顎・頭保持具（５６）を頭頂側へ牽引して首を頭頂側へ伸長させる顎・頭牽引具（３５）をも備えたことを特徴とする身体伸長矯正装置。
【請求項５】
請求項２記載の身体伸長矯正装置において、使用者（２）の脇及び肩を保持する脇・肩保持具（５５）と、前記脇・肩保持具（５５）を頭部側へ牽引して胴を頭部側へ伸長させる脇・肩牽引具（３４）をも備えたことを特徴とする身体伸長矯正装置。
【請求項６】
請求項２記載の身体伸長矯正装置において、使用者（２）の顎の下に掛けて顎及び頭を保持する顎・頭保持具（５６）と、前記顎・頭保持具（５６）を頭頂側へ牽引して首を頭頂側へ伸長させる顎・頭牽引具（３５）をも備えたことを特徴とする身体伸長矯正装置。
【請求項７】
請求項５記載の身体伸長矯正装置において、使用者（２）の顎の下に掛けて顎及び頭を保持する顎・頭保持具（５６）と、前記顎・頭保持具（５６）を頭頂側へ牽引して首を頭頂側へ伸長させる顎・頭牽引具（３５）をも備えたことを特徴とする身体伸長矯正装置。
【手続補正２】
【補正対象書類名】明細書
【補正対象項目名】全文
【補正方法】変更
【補正の内容】
【発明の詳細な説明】
【技術分野】
【０００１】
本発明は、全身の骨を伸長させることによって安全且つ後戻りすることなく身長を伸ばし、さらに身体の捩れや歪みを矯正して身体のバランスを整え、身体の血流を良くして健康の維持、増進に役立てることができる身体伸長矯正装置に関する。
【背景技術】
【０００２】
従来、身長を伸ばしたり、身体の捩れや歪みを矯正したりする装置としては、エアバッグの上に仰臥した使用者の足側を、エアバッグを膨張させて上方に持ち上げて、使用者の頭側を必ず下にし、足側の支柱を中心に回転させるものや（特許文献１参照）、足首及び上半身を固定し、足首を長手方向に前後動させるものや（特許文献２参照）、顎と足首を保持して夫々を反対方向へ牽引するもの（特許文献３参照）等がある。
【０００３】
【特許文献１】特開２００３−１９０１９９号公報
【特許文献２】特開２００３−１４４５７８号公報
【特許文献３】特開平１０−１３７２７８号公報
【発明の開示】
【発明が解決しようとする課題】
【０００４】
しかし、従来の特許文献１〜３記載の装置には、次のような課題がある。
（１）特許文献１記載の装置は、使用者の足側を上方に持ち上げ、使用者の頭側を必ず下向きにし、更に使用者の足側の支柱を中心にエアバッグが旋回するため、回転による遠心力が使用者の頭部側のみに集中してしまい、全身を効果的に伸長させるとか、血流を全身に満遍なく送ることができないという課題がある。
（２）特許文献２や特許文献３記載の装置は、使用者の足や顎のみを牽引するため、全身をバランス良く伸ばすことができない。また、使用者が仰臥する台が回転しないため血流を全身に満遍なく送ったり、身体を真っ直ぐにしたりすることが難しい。
【課題を解決するための手段】
【０００５】
本発明の身体伸長矯正装置は、熟練した技能を必要とせず、誰でも手軽に全身の骨を効果的に引き伸ばして身長を伸ばし、身体の捩れや歪みを矯正し、身体のバランスを整え、身体の血流を良くして健康の維持、増進に役立てることができるものである。
【０００６】
本件出願の身体伸長矯正装置は請求項１記載のように、次の１〜６の構成を備えるものである。
１．使用者２の身体全体を仰臥させる台３と、使用者２を仰臥させたまま台３全体を傾斜させることのできる傾斜機構５と、使用者２を仰臥させたまま台３全体を水平或は傾斜の状態で正・逆回転させることのできる回転機構６とを備え、
２．前記台３は次の（Ａ）〜（Ｉ）の構成を備え、
（Ａ）台３の上に仰臥した使用者２の胴体を前記台３に固定する胴固定ベルト２７と、
（Ｂ）使用者２の足首に装着して足首を保持する足首保持具５１と、
（Ｃ）前記足首保持具５１を足先側へ牽引して脛を足先側へ伸長させる足首牽引具３１と、
（Ｄ）使用者２の脛上部に装着して脛上部を保持する脛上部保持具５２と、
（Ｅ）その脛上部保持具５２を膝側へ牽引して脛を膝側へ伸長させる脛上部牽引具３２と、
（Ｆ）使用者２の腿下部に装着して腿下部を保持する腿下部保持具５３と、
（Ｇ）その腿下部保持具５３を膝側へ牽引して腿を膝側へ伸長させる腿下部牽引具３３と、
（Ｈ）使用者２の腿上部に装着して腿上部を保持する腿上部保持具５４と、
（Ｉ）その腿上部保持具５４を牽引して腿を胴側へ伸長させる腿上部牽引具３４と、
３．使用者２の足首を保持した足首保持具５１を足首牽引具３１で足先側へ牽引し、使用者２の脛上部を保持した脛上部保持具５２を脛上部牽引具３２で膝側へ牽引して脛を足先側と膝側の両側へ伸長させ、
４．使用者２の腿下部を保持した腿下部保持具５３を腿下部牽引具３３で膝側へ牽引し、使用者２の腿上部を保持した腿上部保持具５４を腿上部牽引具３４で胴側へ牽引して腿を膝側と胴側の両側へ伸長させ、
５．前記傾斜機構５、回転機構６の動作は操作盤８で制御可能であり、
６．前記回転機構６は、台３の裏側中央部に設けられ、台３の上面に仰臥する使用者２の同中央部下の位置に設けられて、台３が傾斜した状態で回転すると、その回転に伴って台３の上に仰臥した使用者２の頭側と脚側が半周ずつ自動的に上下に変わりながら回転するようにした。
【０００７】
本件出願の身体伸長矯正装置は請求項２記載のように、請求項１記載の身体伸長矯正装置において、台３の上に仰臥した使用者２の胴体の両側に宛がって胴体を位置決めする脇宛て具２６を備えることもできる。
【０００８】
本件出願の身体伸長矯正装置は請求項３記載のように、請求項１記載の身体伸長矯正装置において、使用者２の脇及び肩を保持する脇・肩保持具５５と、前記脇・肩保持具５５を頭部側へ牽引して胴を頭部側へ伸長させる脇・肩牽引具３４を備えることもできる。
【０００９】
本件出願の身体伸長矯正装置は請求項４記載のように、請求項１記載の身体伸長矯正装置において、使用者２の顎の下に掛けて顎及び頭を保持する顎・頭保持具５６と、前記顎・頭保持具５６を頭頂側へ牽引して首を頭頂側へ伸長させる顎・頭牽引具３５を備えることもできる。
【００１０】
本件出願の身体伸長矯正装置は請求項５記載のように、請求項２記載の身体伸長矯正装置において、使用者２の脇及び肩を保持する脇・肩保持具５５と、前記脇・肩保持具５５を頭部側へ牽引して胴を頭部側へ伸長させる脇・肩牽引具３４を備えることもできる。
【００１１】
本件出願の身体伸長矯正装置は請求項６記載のように、請求項２記載の身体伸長矯正装置において、使用者２の顎の下に掛けて顎及び頭を保持する顎・頭保持具５６と、前記顎・頭保持具５６を頭頂側へ牽引して首を頭頂側へ伸長させる顎・頭牽引具３５を備えることもできる。
【００１２】
本件出願の身体伸長矯正装置は請求項７記載のように、請求項５記載の身体伸長矯正装置において、使用者２の顎の下に掛けて顎及び頭を保持する顎・頭保持具５６と、前記顎・頭保持具５６を頭頂側へ牽引して首を頭頂側へ伸長させる顎・頭牽引具３５を備えることもできる。
【発明の効果】
【００１３】
本件出願の請求項１〜７記載の身体伸長矯正装置は次のような効果がある。
（１）足首牽引具及び脛上部牽引具によって脛の骨（頸骨等）を膝側と足先側とに伸長させ、腿下部牽引具及び腿上部牽引具によって腿の骨（大腿骨等）を腰側と膝側に伸長させ、脇・肩牽引具によって胴の骨（胸椎、腰椎等）を頭部側に伸長させ、顎・頭牽引具によって首の骨（頚椎等）を頭頂側に伸長させるため、全身の骨を効果的に伸長させて使用者の身長を伸ばすことができる。また、脛、腿、胴、首を全て同時に伸長することができるため身体の一部に無理が掛かることもなく、バランスよく全身を伸長させることができる。
（２）使用者が台に仰臥した状態で台を傾斜させたり、台を水平又は傾斜した状態で回転させたりすることにより、身体を頭の先から足先まで真っ直ぐにすることができるため、身体の捩れや歪みが矯正されて身体のバランスが良くなる。また、身体の血流も良くなって健康の維持や増進に役立つ。
（３）台の上に仰臥した使用者の胴体を台に固定する胴固定ベルトを設けたので、それで胴を台に固定すれば仰臥した人が安定し、足首を保持した脚保持具を牽引駆動機構で牽引した場合の牽引効果が高まる。また、台が傾斜したり、回転したり、傾斜した状態で回転したりしても台の上に仰臥した使用者は安定し、台の上で位置ずれしたり、傾いたりすることもない。
（４）台の上に仰臥した使用者の胴体の両側に宛がって胴体を支持する左右の脇宛て具を台の上に設けたので、その脇宛て具で脇を支持して胴体を真っ直ぐに支持することができ、真っ直ぐな胴体を胴固定ベルトで台に固定することができる。
（５）傾斜機構、回転機構の動作は操作盤で制御できるので、台の傾斜角度、回転速度等の操作を、台の回転中でも手軽に行なうことができる。
（６）傾斜機構は台の傾斜角度を調節可能であるため、台の上に仰臥した人の体形、症状にあった傾斜角度に調節することができる。
（７）回転機構は台の裏側中央部であって台の上面に仰臥する使用者の胴の中央部下側になる位置に設けて、台が傾斜した状態で回転するとその回転に伴って台の上に仰臥した使用者の頭側と脚側が半周ずつ自動的に上下に切り替わりながら回転するようにしたので、台の上に仰臥した使用者の全身にバランス良く遠心力がかかり、全身が無理なくバランス良く伸ばされて矯正され、血流が全身に満遍なく送られて促進され、健康の維持、増進に効果的である。
（８）使用者は台に仰臥するだけであるため身体に無理がかからず、自然な状態で使用できる。
（９）足首牽引具、脛上部牽引具、腿下部牽引具、腿上部牽引具、脇・肩牽引具、顎・頭牽引具でそれら箇所を機械的に牽引するだけであるため、整体、マッサージ、骨伸長術についての専門的な知識や熟練技能が必要なく、手軽で安全に身長を伸ばしたり、身体の捩れや歪みを矯正したりすることができる。
（１０）自宅や職場に備えておけば、使用者の都合のよいときに使用できるので便利である。また、費用もかからず、毎日継続して使用できるため効果的である。
【発明を実施するための最良の形態】
【００１４】
（実施形態１）
本発明の身体伸長矯正装置の実施形態の一例を図１〜図６に基づいて説明する。この身体伸長矯正装置１は図１に示すように使用者２が一人だけ仰臥できるサイズの板状の台３を傾斜機構５で傾斜させたり水平に戻したりすることができ、回転機構６で水平或は傾斜している台３を正・逆回転させることができるようにしてある。
【００１５】
前記台３の上には図１〜図４に示すように台３の上に枕２５、左右二つの脇宛て具２６、胴固定ベルト２７、左右の手摺り２８、左右の足首保持具５１、左右の脛上部保持具５２、左右の腿下部保持具５３、左右の腿上部保持具５４、脇・肩保持具５５、顎・頭保持具５６、左右の足首牽引具３１、左右の脛上部牽引具３２、左右の腿下部牽引具３３、左右の腿上部及び脇・肩牽引具３４、顎・頭牽引具３５が設けられている。
【００１６】
前記枕２５は台３の上に面テープ等によって脱着自在に取付けられている。枕２５には使用者２の頭部を支持できるものであれば任意のものを用いることができるが、安定性や感触の面から弾性のあるものを用いることが望ましい。枕２５は中央部分を凹ませて使用者２の頭部を支持し易くしておくこともできる。
【００１７】
前記二つの脇宛て具２６は台３の上に面テープ等によって脱着自在に取付けられ、使用者の胴体を支持すると共に位置決めできるように間隔をあけて配置固定されている。脇宛て具２６には使用者の胴体を回転時や傾斜時の衝撃から保護する役割もあるため、身体の接触感をソフトにするためには弾性のあるものを用いることが望ましい。
【００１８】
前記胴固定ベルト２７は台３の上に取り付けられた二本のベルトで構成されており、二本の胴固定ベルト２７の固定端部は図２に示すように前記二つの脇宛て具２６の夫々の外側に配置固定され、夫々の胴固定ベルト２７の開閉端には図２に示すように互いに係止・離脱可能な面テープ２９が取り付けられており、両胴固定ベルト２７を開いた状態で使用者が両胴固定ベルト２７の固定端部間に仰臥してから、両胴固定ベルト２７の開閉端を閉じて使用者２の胴体の外周に巻付けて面テープ２９同士を係止すると使用者２の胴体を台３の上に固定できるようにしてある。二本の胴固定ベルト２７同士の固定は面テープ２９による固定に限られず、バックル、ボタン、留め金等の任意の固定具を用いることができる。
【００１９】
前記二本の手摺り２８は図３に示すように丸棒状であり、台３の幅方向両側方に台３の長手方向に沿って設けられて、台３の上に仰臥した使用者２が片手で夫々を把持することができるようにしてある。
【００２０】
前記左右の足首保持具５１（図１）は台３の上に仰臥した使用者の足首を、脛上部保持具５２（図１）は同使用者の脛上部を、腿下部保持具５３（図１）は同使用者の腿下部を、腿上部保持具５４（図１）は同使用者の腿上部を、脇・肩保持具５５（図１）は同使用者の脇の下と肩を、顎・頭保持具５６（図１）は同使用者の顎と頭を保持するためのものであり、いずれも図２に明示するように夫々の保持部位に巻き付ける等して夫々の保持部位を固定可能な保持具である。
【００２１】
前記左右の足首牽引具３１（図１、図２）は同じ構造のものであり、台３の上に仰臥した使用者２の足首を保持した足首保持具５１を足先側へ牽引することにより脛下部を足先側に牽引して伸ばすものであり、図１、図４に示すように台３の足元側裏面に固定されている二つの支持体４２間に二本のガイドシャフト４１が配置固定され、両ガイドシャフト４１の間に一本の螺子シャフト４３が回転自在に取り付けられ、前記二本のガイドシャフト４１が足首牽引用可動体４５の挿入孔にスライド可能に挿入され、前記螺子シャフト４３が足首牽引用可動体４５のネジ孔にねじ込まれている。足首牽引用可動体４５の上部は台３に開口した２本のスリット６０（図３、図５）から上方に突出してそのスリット６０に沿ってスライドできるようにしてあり、足首牽引用可動体４５の係止バー４６にフック４７が係止され、そのフック４７を足首保持具５１に係止できるようにしてある。この足首牽引用可動体４５は螺子シャフト４３の足先側端部に取り付けたハンドル４４を右（正）回転させると前記二本のシャフト４１及びスリット６０に沿って前方（頭側）にスライドし、左（逆）回転させると前記二本のシャフト４１に沿って後方（足先側）にスライドするようにしてあり、足首牽引用可動体４５が後方（足先側）にスライドすると足首保持具５１がフック４７で足先側へ牽引されて脛が足先側へ伸ばされるようにしてある。足首牽引用可動体４５はハンドル４４の回転を止めるとその位置に停止し、使用者２の脛の足先側への牽引がその位置に保持される。この停止位置を選択することにより脛の牽引強さを調節することができる。
【００２２】
前記左右の脛上部牽引具３２（図１、図２）は同じ構造のものであり、台３の上に仰臥した使用者２の脛上部に巻きつけて脛上部を保持する脛上部保持具５２を膝側へ牽引することにより脛上部を膝側に伸ばすものであり、図１、図２に示すように台３の中央部上方に立設した支持台６１の上面に固定されている二つの支持体７２間に二本のガイドシャフト７１が配置固定され、両ガイドシャフト７１の間に一本の螺子シャフト７３が回転自在に取り付けられ、前記二本のガイドシャフト７１が脛上部牽引用可動体７５の挿入孔にスライド可能に挿入され、前記螺子シャフト７３が脛上部牽引用可動体７５のネジ孔にねじ込まれている。脛上部牽引用可動体７５の係止孔７６にはワイヤー７８が係止され、そのワイヤー７８をフック７７によって脛上部保持具５２に係止できるようにしてある。この脛上部牽引用可動体７５は螺子シャフト７３の頭側端部に取り付けたハンドル７４を右（正）回転させると前記二本のシャフト７１に沿って前方（足先側）にスライドし、左（逆）回転させると前記二本のシャフト７１に沿って後方（頭側）にスライドするようにしてあり、脛上部牽引用可動体７５が後方（頭側）にスライドすると脛上部保持具５２がフック７７とワイヤー７８で膝側へ牽引されて脛上部が膝側へ伸ばされるようにしてある。脛上部牽引用可動体７５はハンドル７４の回転を止めるとその位置に停止し、使用者２の脛上部の膝側への牽引がその位置に保持される。この停止位置を選択することにより脛上部の牽引強さを調節することができる。
【００２３】
前記左右の腿下部牽引具３３（図１、図２）は同じ構造のものであり、台３の上に仰臥した使用者２の腿下部に巻きつけて腿下部を保持する腿下部保持具５３を膝側へ牽引することにより腿下部を膝側に伸ばすものであり、図１、図２、図５に示すように台３の足元部上方に立設した支持台６２の上面に固定されている二つの支持体８２間に二本のガイドシャフト８１が配置固定され、両ガイドシャフト８１の間に一本の螺子シャフト８３が回転自在に取り付けられ、前記二本のガイドシャフト８１が腿下部牽引用可動体８５の挿入孔にスライド可能に挿入され、前記螺子シャフト８３が腿下部牽引用可動体８５のネジ孔にねじ込まれている。腿下部牽引用可動体８５の係止孔８６にはワイヤー８８が係止され、そのワイヤー８８をフック８７によって腿下部保持具５３に係止できるようにしてある。この腿下部牽引用可動体８５は螺子シャフト８３の足先側端部に取り付けたハンドル８４を右（正）回転させると前記二本のシャフト８１に沿って前方（頭側）にスライドし、左（逆）回転させると前記二本のシャフト８１に沿って後方（足先側）にスライドするようにしてあり、腿下部牽引用可動体８５が後方（足先側）にスライドすると腿下部保持具５３がフック８７とワイヤー８８で膝側へ牽引されて腿下部が膝側へ伸ばされるようにしてある。腿下部牽引用可動体８５はハンドル８４の回転を止めるとその位置に停止し、使用者２の腿下部の膝側への牽引がその位置に保持される。この停止位置を選択することにより腿下部の牽引強さを調節することができる。
【００２４】
前記左右の腿上部及び脇・肩牽引具３４（図１、図２）は同じ構造のものであり、台３の上に仰臥した使用者２の腿上部を保持した腿上部保持具５４を胴側へ、且つ、使用者２の脇及び肩を保持した脇・肩保持具５５を頭部側へ夫々牽引することにより腿上部を胴側に、且つ脇・肩を頭部側に夫々牽引して伸ばすものであり、図１、図２、図６に示すように台３の頭部側裏面に固定されている二つの支持体９２間に二本のガイドシャフト９１が配置固定され、両ガイドシャフト９１の間に一本の螺子シャフト９３が回転自在に取り付けられ、前記二本のガイドシャフト９１が腿上部及び脇・肩牽引用可動体９５の挿入孔にスライド可能に挿入され、前記螺子シャフト９３が腿上部及び脇・肩牽引用可動体９５のネジ孔にねじ込まれている。腿上部及び脇・肩牽引用可動体９５の上部は台３に開口したスリット６３（図２、図６）から上方に突出してそのスリット６３に沿ってスライドできるようにしてあり、腿上部及び脇・肩牽引用可動体９５の係止孔９６に腿上部保持具５４のワイヤー９８及び、脇・肩保持具５５の金具９９を係止できるようにしてある。この腿上部及び脇・肩牽引用可動体９５は螺子シャフト９３の頭部側端部に取り付けたハンドル９４を右（正）回転させると前記二本のシャフト９１及びスリット６３に沿って前方（足先側）にスライドし、左（逆）回転させると前記二本のシャフト９１に沿って後方（頭側）にスライドするようにしてあり、腿上部及び脇・肩牽引用可動体９５が後方（頭側）にスライドすると腿上部保持具５４が胴側へ牽引されて腿上部が胴側へ伸ばされ、且つ、脇・肩保持具５５が頭部側へ牽引されて胴が頭部側へ伸ばされるようにしてある。腿上部及び脇・肩牽引用可動体９５はハンドル９４の回転を止めるとその位置に停止し、使用者２の腿上部の胴側への牽引及び胴の頭部側への牽引がその位置に保持される。この停止位置を選択することにより腿上部及び胴の牽引強さを調節することができる。
【００２５】
前記顎・頭牽引具３５（図１〜図４、図６）は、台３の上に仰臥した使用者２の顎の下に掛けて顎及び頭を保持する顎・頭保持具５６を頭頂側へ牽引することにより顎及び頭を頭頂側に伸ばすものであり、図１、図４に示すように台３の頭部側裏面の、前記左右の腿上部及び脇・肩牽引具３４間に固定されている二つの支持体１０２間に二本のガイドシャフト１０１が配置固定され、両ガイドシャフト１０１の間に一本の螺子シャフト１０３が回転自在に取り付けられ、前記二本のガイドシャフト１０１が顎・頭牽引用可動体１０５の挿入孔にスライド可能に挿入され、前記螺子シャフト１０３が顎・頭牽引用可動体１０５のネジ孔にねじ込まれている。顎・頭牽引用可動体１０５の上部は台３に開口した２本のスリット６４（図３、図６）から上方に突出してそのスリット６４に沿ってスライドできるようにしてあり、顎・頭牽引用可動体１０５の係止バー１０６に顎・頭保持具５６を係止できるようにしてある。この顎・頭牽引用可動体１０５は螺子シャフト１０３の頭部側端部に取り付けたハンドル１０４を右（正）回転させると前記二本のシャフト１０１及びスリット６４に沿って前方（足先側）にスライドし、左（逆）回転させると前記二本のシャフト１０１及びスリット６４に沿って後方（頭側）にスライドするようにしてあり、顎・頭牽引用可動体１０５が後方（頭側）にスライドすると顎・頭保持具５６が頭頂側へ牽引されて首が頭頂側へ伸ばされるようにしてある。顎・頭牽引用可動体１０５はハンドル１０４の回転を止めるとその位置に停止し、使用者２の首の頭頂側への牽引がその位置に保持される。この停止位置を選択することにより首の牽引強さを調節することができる。
【００２６】
前記傾斜機構５にはエアシリンダー或は油圧シリンダーが使用され、それらのロッド１７の先端を台３の裏面に取り付けてある回転機構６の裏面に連結して、ロッド１７を伸縮させると台３が頭側又は足側に傾斜するようにしてある。傾斜角度は、０〜９０度の間で任意に設定することができ、任意の傾斜角度で停止させることができる。傾斜機構５による台３の傾斜は台３の正・逆回転中であっても行うことができる。
【００２７】
前記回転機構６にはモータ２０と回転軸受２４により、台３の裏面に取り付けられているターンテーブル２３を回転させられるようにしたものである。モータ２０を正・逆回転させることにより台３が正・逆回転する。台３は、例えば、毎分０．５〜２０回転の回転速度で回転させることができる。
【００２８】
前記傾斜機構５及び回転機構６の動作は、図１に示す操作盤８によって行うことができるようにしてある。操作盤８は、フレキシブルチューブ１０を介して、装置１の制御機構９に備えられている。操作盤８は、回転機構６を制御して、台３の回転速度を変化させたり、台３の回転方向を変化させたりすることができる。また、傾斜機構５を制御して、台３の傾斜角度を設定・変更させたりすることもできる。また、１分〜３０分の間で、本発明の身体伸長矯正装置１の自動運転時間を設定したりすることもできる。操作盤８には、電源ＯＮ／ＯＦＦスイッチ、水平回転速度調整ツマミ、回転速度メーター、水平回転方向決定スイッチ、傾斜角度設定ツマミ、往復駆動機構作動スイッチ、非常停止ボタン、自動運転設定スイッチ、その他任意のスイッチ、ツマミ、メーター等を設けることができる。操作盤８は、フレキシブルチューブ１０を省略して、操作盤８によって制御機構９を遠隔操作可能とすることもできる。
【００２９】
（使用例）
図１〜図６に示す身体伸長矯正装置を用いて、使用者の全身を伸長し、更に使用者の身体の捩れや歪みをも矯正するには、次のようにする。
（１）図２、図４に示すように使用者２の身体を台３上に仰臥させる。
（２）枕２５、左右二つの脇宛て具２６、胴固定ベルト２７で使用者の頭部及び胴体を固定し、使用者２の身体１を台３上に固定する（図２参照。）。
（３）使用者２の膝を曲げた状態で、左右の足首保持具５１、左右の脛上部保持具５２、左右の腿下部保持具５３、左右の腿上部保持具５４、脇・肩保持具５５、顎・頭保持具５６の各保持具によって使用者２の身体の各部を保持し、その各保持具５１〜５６を各牽引具３１〜３５に係止する。
（４）各牽引具３１〜３５の各ハンドル４４、７４、８４、９４、１０４を回転させて、身体の各部を所望の強さで連続牽引するように調整する。
（５）操作盤８を操作して、傾斜機構５を作動させ、台３を所望の傾斜角度まで傾斜させて停止させる（図１参照。）。
（６）操作盤８を操作して、回転機構６を作動させ、台３を正回転又は逆回転させる。
（７）その状態で所望時間傾斜機構５及び回転機構６を作動させる。
（８）所望の施術が終了したら、操作盤８を再度操作して、回転機構６を停止させて台３の回転を停止させる。
（９）操作盤８を操作して、傾斜させた台３を水平位置まで戻す。
（１０）台３が水平位置まで戻ったら、左右の足首保持具５１、左右の脛上部保持具５２、左右の腿下部保持具５３、左右の腿上部保持具５４、脇・肩保持具５５、顎・頭保持具５６の各保持具を使用者２の身体の各部から取外す。
（１１）枕２５、左右二つの脇宛て具２６、胴固定ベルト２７による身体の固定を解除し、使用者２を台３から降ろす。
【００３０】
前記使用例において、（５）と（６）の工程は入れ替えて行うこともできる。また、（５）と（６）の工程のうち一方の工程を省略することもできる。また、操作盤８による操作は、使用者が自ら行うことも、他に操作者を用意してその操作者に操作させることもできる。また、予め身体伸長矯正装置１が行う動作を設定しておき、（５）〜（９）の工程を自動で行うことができるようにしておくことも可能である。
【００３１】
（その他の実施形態）
本発明の身体伸長矯正装置においては、腿上部牽引具と脇・肩牽引具とを別個に台に設け、使用者の腿と胴を別々に牽引可能とすることもできる。また、足首牽引具、腿上部及び脇・肩牽引具、顎・顔牽引具は、台３の裏面のみならず表面に備えることもできる。
【００３２】
各牽引具３１〜３５は、自動で各ハンドル４４、７４、８４、９４、１０４を回転可能としたり、自動で各牽引用可動体４５、７５、８５、９５、１０５を前後スライドさせられるようにすることもできる。また各牽引具３１〜３５は、使用者の身体の各部を連続牽引するものには限られず、間欠牽引するものとすることもできる。
【００３３】
本発明の身体伸長矯正装置は、前記実施形態１記載の身体各部の牽引には限られず、他の任意の部分を牽引するものとすることもできる。また、上記各牽引具３１〜３５のいずれかを省略することも可能である。
【００３４】
本発明の身体伸長矯正装置においては、回転機構、傾斜機構のうち、一方を省略することもできる。従って、例えば、往復駆動機構を省略し、台の傾斜及び回転のみを行うことができる身体伸長矯正装置とすることもできる。
【００３５】
前記実施形態１に示す本発明の身体伸長矯正装置はあくまで一例であって、各部材、機構の形状、構造、大きさ、数量等は、前記のものには限られず、任意とすることができる。
【産業上の利用可能性】
【００３６】
本発明の身体伸長矯正装置は、身長伸ばし用や身体の捩れ・歪みの矯正用の装置には限られず、医科歯科治療用の寝台等、人間を仰臥させて使用する装置にも広く応用することができる。
【図面の簡単な説明】
【００３７】
【図１】本発明の身体伸長矯正装置の実施形態の一例を示す正面図。
【図２】図１に示す身体伸長矯正装置の台上に使用者が仰臥した様子を示す斜視説明図。
【図３】図１に示す身体伸長矯正装置の平面図。
【図４】図１に示す身体伸長矯正装置の台を平らにした状態を示す正面図。
【図５】図１に示す身体伸長矯正装置によって使用者の脛及び腿を牽引する様子を示す斜視説明図。
【図６】図１に示す身体伸長矯正装置の脇・肩牽引具及び顎・顔牽引具を示す斜視説明図。
【符号の説明】
【００３８】
１  身体伸長矯正装置
２  使用者
３  台
５  傾斜機構
６  回転機構
８  操作盤
２５  枕
２６  脇宛て具
２７  胴固定ベルト
２８  手摺り
３１  足首牽引具
３２  脛上部牽引具
３３  腿下部牽引具
３４  腿上部及び脇・肩牽引具
３５  顎・頭牽引具
５１  足首保持具
５２  脛上部保持具
５３  腿下部保持具
５４  腿上部保持具
５５  脇・肩保持具
５６  顎・頭保持具